(57)【要約】      （修正有）【課題】電源供給部とヒーターを分離し、調理部と空気循環部に独立的に電源を供給できる空気循環式電気ロースターを提供すること。【解決手段】空気循環式電気ロースターは、第１電源供給部及び第２電源供給部３３を含む電源供給部３０と、第１電源供給部と接続される第１電源接続部７１を含む加熱部と、本体部１０の長手方向に沿って本体部の一つの側面の内側に隣接するように載置され、第２電源供給部と接続される第２電源接続部４５を含む空気循環部４０と、本体部の長手方向と直交する方向の一つの側に装着され、第２電源接続部と接続されておりかつ第２電源供給部と接触可能な第１接続端子２１を有する本体結合部２０と、加熱部の上部に設置されて加熱される調理面を含む調理部６０と、を備える。【選択図】図１
2018015568.tif 000002
【特許請求の範囲】
【請求項１】
本体部と、
前記本体部に載置され、少なくとも一つの貫通孔を含む下板と、前記下板の両側にそれぞれ形成され複数の通気口を含む第１側面板及び第２側面板とを含む空気分散板部と、
第１電源供給部及び第２電源供給部を含む電源供給部と、
前記第１電源供給部と接続される第１電源接続部を含む加熱部と、
前記本体部の長手方向に沿って前記本体部の一つの側面の内側に隣接するように載置され、前記第２電源供給部と電気的に接続可能な第２電源接続部を含む第１空気循環部と、
前記本体部の前記長手方向と直交する方向の一つの側に装着され、前記第２電源接続部と接続されておりかつ前記第２電源供給部と接触可能な第１接続端子を有する本体結合部と、
前記加熱部の上部に設置されて加熱される調理面を含む調理部と、
を備え、
前記電源供給部は前記本体結合部に着脱可能に構成されており、前記電源供給部が前記本体結合部に装着された状態で、前記第１電源供給部に含まれる端子と前記第１電源接続部に含まれる端子とが接触することにより、前記電源供給部と前記加熱部が電気的に接続されるとともに、前記第２電源供給部に含まれる端子と前記第１接続端子とが接触することにより、前記電源供給部と前記第１空気循環部とが電気的に接続される、
空気循環式電気ロースター。
【請求項２】
前記第２電源供給部は交流電力を供給し、
前記本体結合部は前記第２電源供給部から供給される交流電力を直流電力に変換する変換器を含む、
請求項１に記載の空気循環式電気ロースター。
【請求項３】
前記本体結合部は交流電力を直流電力に変換する変換器を含み、前記本体結合部を介して前記第２電源接続部に前記直流電力を供給する、
請求項１に記載の空気循環式電気ロースター。
【請求項４】
前記電源供給部は前記加熱部の温度を調節するための温度調節部をさらに含む、
請求項１ないし３の何れか一項に記載の空気循環式電気ロースター。
【請求項５】
前記空気分散板部は、前記電源供給部が前記本体結合部に装着された状態で前記第１電源供給部に含まれる前記端子と前記第１電源接続部に含まれる前記端子とが接触するように、前記第１電源接続部の上下方向の位置を決める、
請求項１ないし４の何れか一項に記載の空気循環式電気ロースター。
【請求項６】
前記調理部は前記調理面の少なくとも一部に形成した少なくとも一つの貫通孔を有し、
前記空気循環式電気ロースターは前記少なくとも一つの貫通孔を開閉可能な開閉部材をさらに備える、
請求項１ないし５の何れか一項に記載の空気循環式電気ロースター。
【請求項７】
前記貫通孔は内周面がナット部で形成され、
前記開閉部材は、一つの側に外周面がボルト部で形成されて前記貫通孔のナット部に挿入される挿入部を含み、他の側に前記開閉部材を回すためのつまみ部を含む、
請求項６に記載の空気循環式電気ロースター。
【請求項８】
前記つまみ部の端部または前記ボルト部の端面に十字または一字のドライバー用の溝または多角形のレンチ用の溝が形成された、
請求項７に記載の空気循環式電気ロースター。
【請求項９】
前記本体部の前記長手方向に沿って前記本体部の他の側面の内側に隣接するように載置され、前記第２電源供給部と電気的に接続可能な第３電源接続部を含む第２空気循環部をさらに備え、
前記本体結合部は、前記第３電源接続部と接続されておりかつ前記第２電源供給部と接触可能な第２接続端子をさらに有し、
前記電源供給部が前記本体結合部に装着された状態で、前記第２電源供給部に含まれる端子と前記第２接続端子とが接触することにより、前記電源供給部と前記第２空気循環部とが電気的に接続され、
前記第１空気循環部と前記第２空気循環部は、前記第２電源供給部により供給される電力により、同等な強さまたは互いに異なる強さで駆動される、
請求項１ないし８の何れか一項に記載の空気循環式電気ロースター。
【請求項１０】
本体部と、
前記本体部に載置され、少なくとも一つの貫通孔を含む下板と、前記下板の両側にそれぞれ形成され複数の通気口を含む第１側面板及び第２側面板とを含む空気分散板部と、
第１電源供給部及び第２電源供給部を含む電源供給部と、
前記第１電源供給部と接続される第１電源接続部を含む加熱部と、
前記本体部の長手方向に沿って前記本体部の一つの側面の内側に隣接するように載置され、前記第２電源供給部と電気的に接続可能な第２電源接続部を含む空気循環部と、
前記本体部の前記長手方向と直交する方向の一つの側に装着され、前記第２電源接続部と接続されておりかつ前記第２電源供給部と接触可能な接続端子を有する本体結合部と、
前記加熱部の上部に設置されて加熱される調理面を含む調理部と、
を備え、
前記本体結合部は前記第２電源供給部から供給される交流電力を直流電力に変換する変換器を含む、
空気循環式電気ロースター。
【請求項１１】
本体部と、
前記本体部に載置され、少なくとも一つの貫通孔を含む下板と、前記下板の両側にそれぞれ形成され複数の通気口を含む第１側面板及び第２側面板とを含む空気分散板部と、
第１電源供給部及び第２電源供給部を含む電源供給部と、
前記第１電源供給部と接続される第１電源接続部を含む加熱部と、
前記本体部の長手方向に沿って前記本体部の一つの側面の内側に隣接するように載置され、前記第２電源供給部と電気的に接続可能な第２電源接続部を含む空気循環部と、
前記本体部の前記長手方向と直交する方向の一つの側に装着され、前記第２電源接続部と接続されておりかつ前記第２電源供給部と接触可能な接続端子を有する本体結合部と、
前記加熱部の上部に設置されて加熱される調理面を含む調理部と、
を備え、
前記第１電源供給部は前記第１電源接続部に交流電力を供給し、
前記第２電源供給部は交流電力を直流電力に変換する変換器を含み、前記第２電源接続部に前記直流電力を供給する、
空気循環式電気ロースター。
【請求項１２】
本体部と、
前記本体部に載置され、少なくとも一つの貫通孔を含む下板と、前記下板の両側にそれぞれ形成され複数の通気口を含む第１側面板及び第２側面板とを含む空気分散板部と、
第１電源供給部及び第２電源供給部を含む電源供給部と、
前記第１電源供給部と接続される第１電源接続部を含む加熱部と、
前記本体部の長手方向に沿って前記本体部の一つの側面の内側に隣接するように載置され、前記第２電源供給部と電気的に接続可能な第２電源接続部を含む空気循環部と、
前記本体部の前記長手方向と直交する方向の一つの側に装着され、前記第２電源接続部と接続されておりかつ前記第２電源供給部と接触可能な接続端子を有する本体結合部と、
前記加熱部の上部に設置されて加熱される調理面を含む調理部と、
を備え、
前記空気分散板部は、前記電源供給部が前記本体結合部に装着された状態で前記第１電源供給部に含まれる端子と前記第１電源接続部に含まれる端子とが接触するように、前記第１電源接続部の上下方向の位置を決める、
空気循環式電気ロースター。
【請求項１３】
本体部と、
前記本体部に載置され、少なくとも一つの貫通孔を含む下板と、前記下板の両側にそれぞれ形成され複数の通気口を含む第１側面板及び第２側面板とを含む空気分散板部と、
第１電源供給部及び第２電源供給部を含む電源供給部と、
前記第１電源供給部と接続される第１電源接続部を含む加熱部と、
前記本体部の長手方向に沿って前記本体部の一つの側面の内側に隣接するように載置され、前記第２電源供給部と電気的に接続可能な第２電源接続部を含む空気循環部と、
前記本体部の前記長手方向と直交する方向の一つの側に装着され、前記２電源接続部と接続されておりかつ前記第２電源供給部と接触可能な接続端子を有する本体結合部と、
前記加熱部の上部に設置されて加熱される調理面を含む調理部と、
を備え、
前記調理部は前記調理面の少なくとも一部に少なくとも一つの貫通孔を有し、
前記少なくとも一つの貫通孔を開閉可能な開閉部材をさらに備える、
空気循環式電気ロースター。
【請求項１４】
本体部と、
前記本体部に載置され、少なくとも一つの貫通孔を含む下板と、前記下板の両側にそれぞれ形成され複数の通気口を含む第１側面板及び第２側面板とを含む空気分散板部と、
第１電源供給部及び第２電源供給部を含む電源供給部と、
前記第１電源供給部と接続される第１電源接続部を含む加熱部と、
前記本体部の長手方向に沿って前記本体部の一つの側面の内側に隣接するように載置され、前記第２電源供給部と電気的に接続可能な第２電源接続部を含む第１空気循環部と、
前記本体部の長手方向に沿って前記本体部の他の側面の内側に隣接するように載置され、前記第２電源供給部と電気的に接続可能な第３電源接続部を含む第２空気循環部と、
前記本体部の前記長手方向と直交する方向の一つの側に装着され、前記第２電源接続部と接続されておりかつ前記第２電源供給部と接触可能な第１接続端子及び前記第３電源接続部と接続されておりかつ前記第２電源供給部と接触可能な第２接続端子を有する本体結合部と、
前記加熱部の上部に設置されて加熱される調理部と、
を備え、
前記第１空気循環部と前記第２空気循環部は、前記第２電源供給部により供給される電力により、同等な強さまたは互いに異なる強さで駆動される、
空気循環式電気ロースター。
【請求項１５】
前記加熱部の下部を囲む下部蓋部をさらに備える、
請求項１ないし１４の何れか一項に記載の空気循環式電気ロースター。
【請求項１６】
前記本体部の内部に載置され、前記調理部から排出される油を受けるための油受け部をさらに備える、
請求項１ないし１５の何れか一項に記載の空気循環式電気ロースター。
【発明の詳細な説明】
【技術分野】
【０００１】
本発明は、空気循環式電気ロースターに関する。
【背景技術】
【０００２】
一般に、電気ロースターは本体に調理部（調理板）とヒーターを内蔵し、電源を印加してヒーターを加熱することで、調理部で肉類、魚介類、野菜類などの食材料を調理するための機器である。
【０００３】
従来、電気ロースターでは、本体の下部の一つの側に長形のファンを載置し、上部には調理部を載置する。調理の際には、ファンを作動させ、電気ロースターの内部に均一な空気の流れを形成する（特許文献１参照）。これによって、煙が外部に排出されないまま内部で熱風により酸化され、調理部で焼かれる肉類に薫煙の効果もあった。
【先行技術文献】
【特許文献】
【０００４】
【特許文献１】韓国公開特許第１０−２００７−０００８３８３号公報
【発明の概要】
【発明が解決しようとする課題】
【０００５】
上記のようにファンを作動させる場合、ファンを回転するためのモーターの駆動に必要な別途の直流（ＤＣ）電源を供給し、調理部を加熱するためにはヒーターに交流（ＡＣ）電源を供給する必要がある。しかし、認証や安全装置などの問題で二つの系統の電源を供給するための複雑な回路で構成された電源供給装置を使用せざるを得ない不都合があった。
【０００６】
さらに、従来の電気ロースターでは、ヒーターと電源供給装置が一体化されていたので、使用するのに不便であるのみならず、モーターを駆動するための直流電源とヒーターを駆動するための交流電源を供給するための複雑な構造を取らざるを得なかった。
【０００７】
さらに、従来の電気ロースターで電源を投入するためにはマイクロスイッチなどで構成された安全装置が必須であったが、これは必要な部品及び配線を増やし、製造の際のみならず事後管理の面でも問題になり得るので、このような部品及び配線を最大限減らす必要があった。
【０００８】
さらに、従来の電気ロースターでは、複数の貫通孔が形成された焼き用調理部と貫通孔のない一般の調理部の二種類の調理部を、調理する食材料によって交換しなければならない不便なところがあった。
【０００９】
複数の貫通孔が形成された焼き用調理部の場合、広い面積にわたって油が落ちるように調理部のほぼ全面に複数の貫通孔が形成されているので、広い範囲にわたって上下方向の空気の流路を形成し、これを通した空気の流れによって空気分散板部の側面の排出部と吸入部の間の送風バランスが乱れる問題があった。このような問題を解消するために、空気分散板部の側面に形成する通気口の大きさ及び個数が排出部と吸入部との間で互いに異なるように形成する必要があった。
【００１０】
さらに、空気分散板部の排出部と吸入部との間の排出圧力と吸入圧力の差によって、調理時に排出部側ではほとんど匂いがしないのに対し、吸入部側では微弱であるが匂いがする場合があった。
【００１１】
本発明は、上述した従来の要求に応えるために成されたものであり、本発明の少なくとも一つの実施例では、電源供給部とヒーターを分離し、調理部と空気循環部に独立的に電源を供給できる空気循環式電気ロースターを提供することを目的とする。
【００１２】
また、本発明の少なくとも一つの実施例では、安全装置に必要な部品及び配線の個数を減らし、製造時のみならず事後管理の面でも問題の発生を抑制することができる空気循環式電気ロースターを提供することを目的とする。
【００１３】
また、本発明の少なくとも一つの実施例では、複数の貫通孔が形成された焼き用調理部と貫通孔のない一般の調理部の二種類の調理部を一つに統合し、食材料によって調理部を交換しなければならない不便さを解消できる空気循環式電気ロースターを提供することを目的とする。
【００１４】
また、本発明の少なくとも一つの実施例では、空気分散板部の排出部と吸入部との間の送風バランスを安定させ、調理時に排出部と吸入部の両側で同等にほとんど匂いを発生しない空気循環式電気ロースターを提供することを目的とする。
【００１５】
本発明の解決課題は以上で言及されたものに限定されず、言及されていない他の解決課題は下記の記載から当該技術分野における通常の知識を有した者に明確に理解できるであろう。
【課題を解決するための手段】
【００１６】
本発明の少なくとも一つの実施例においては、本体部と、本体部に載置され、少なくとも一つの貫通孔を含む下板と、下板の両側にそれぞれ形成され複数の通気口を含む第１側面板及び第２側面板とを含む空気分散板部と、第１電源供給部及び第２電源供給部を含む電源供給部と、第１電源供給部と接続される第１電源接続部を含む加熱部と、本体部の長手方向に沿って本体部の一つの側面の内側に隣接するように載置され、第２電源供給部と電気的に接続可能な第２電源接続部を含む第１空気循環部と、本体部の長手方向と直交する方向の一つの側に装着され、第２電源接続部と接続されておりかつ第２電源供給部と接触可能な第１接続端子を有する本体結合部と、加熱部の上部に設置されて加熱される調理面を含む調理部と、を備え、電源供給部は本体結合部に着脱可能に構成されており、電源供給部が本体結合部に装着された状態で、第１電源供給部に含まれる端子と第１電源接続部に含まれる端子とが接触することにより、電源供給部と加熱部が電気的に接続されるとともに、第２電源供給部に含まれる端子と第１接続端子とが接触することにより、電源供給部と第１空気循環部とが電気的に接続される、空気循環式電気ロースターを提供する。
【００１７】
本発明の少なくとも一つの実施例において、第２電源供給部は交流電力を供給し、本体結合部は第２電源供給部から供給される交流電力を直流電力に変換する変換器を含む。
【００１８】
本発明の少なくとも一つの実施例において、本体結合部は交流電力を直流電力に変換する変換器を含み、本体結合部を介して第２電源接続部に直流電力を供給する。
【００１９】
本発明の少なくとも一つの実施例において、電源供給部は加熱部の温度を調節するための温度調節部をさらに含む。
【００２０】
本発明の少なくとも一つの実施例において、空気分散板部は、電源供給部が本体結合部に装着された状態で第１電源供給部に含まれる端子と第１電源接続部に含まれる端子とが接触するように、第１電源接続部の上下方向の位置を決める。
【００２１】
本発明の少なくとも一つの実施例において、調理部は調理面の少なくとも一部に形成した少なくとも一つの貫通孔を有し、空気循環式電気ロースターは少なくとも一つの貫通孔を開閉可能な開閉部材をさらに備える。
【００２２】
本発明の少なくとも一つの実施例において、貫通孔は内周面がナット部で形成され、開閉部材は、一つの側に外周面がボルト部で形成されて貫通孔のナット部に挿入される挿入部を含み、他の側に開閉部材を回すためのつまみ部を含む。
【００２３】
本発明の少なくとも一つの実施例において、つまみ部の端部またはボルト部の端面に十字または一字のドライバー用の溝または多角形のレンチ用の溝が形成された。
【００２４】
本発明の少なくとも一つの実施例において、本体部の長手方向に沿って本体部の他の側面の内側に隣接するように載置され、第２電源供給部と電気的に接続可能な第３電源接続部を含む第２空気循環部をさらに備え、本体結合部は、第３電源接続部と接続されておりかつ第２電源供給部と接触可能な第２接続端子をさらに有し、電源供給部が本体結合部に装着された状態で、第２電源供給部に含まれる端子と第２接続端子とが接触することにより、電源供給部と第２空気循環部とが電気的に接続され、第１空気循環部と第２空気循環部は、第２電源供給部により供給される電力により、同等な強さまたは互いに異なる強さで駆動される。
【００２５】
本発明の少なくとも一つの実施例においては、本体部と、本体部に載置され、少なくとも一つの貫通孔を含む下板と、下板の両側にそれぞれ形成され複数の通気口を含む第１側面板及び第２側面板とを含む空気分散板部と、第１電源供給部及び第２電源供給部を含む電源供給部と、第１電源供給部と接続される第１電源接続部を含む加熱部と、本体部の長手方向に沿って本体部の一つの側面の内側に隣接するように載置され、第２電源供給部と電気的に接続可能な第２電源接続部を含む空気循環部と、本体部の長手方向と直交する方向の一つの側に装着され、第２電源接続部と接続されておりかつ前記第２電源供給部と接触可能な接続端子を有する本体結合部と、加熱部の上部に設置されて加熱される調理面を含む調理部と、を備え、本体結合部は第２電源供給部から供給される交流電力を直流電力に変換する変換器を含む、空気循環式電気ロースターを提供する。
【００２６】
本発明の少なくとも一つの実施例においては、本体部と、本体部に載置され、少なくとも一つの貫通孔を含む下板と、下板の両側にそれぞれ形成され複数の通気口を含む第１側面板及び第２側面板とを含む空気分散板部と、第１電源供給部及び第２電源供給部を含む電源供給部と、第１電源供給部と接続される第１電源接続部を含む加熱部と、本体部の長手方向に沿って本体部の一つの側面の内側に隣接するように載置され、第２電源供給部と電気的に接続可能な第２電源接続部を含む空気循環部と、本体部の長手方向と直交する方向の一つの側に装着され、第２電源接続部と接続されておりかつ第２電源供給部と接触可能な接続端子を有する本体結合部と、加熱部の上部に設置されて加熱される調理面を含む調理部と、を備え、第１電源供給部は第１電源接続部に交流電力を供給し、第２電源供給部は交流電力を直流電力に変換する変換器を含み、第２電源接続部に直流電力を供給する、空気循環式電気ロースターを提供する。
【００２７】
本発明の少なくとも一つの実施例においては、本体部と、本体部に載置され、少なくとも一つの貫通孔を含む下板と、下板の両側にそれぞれ形成され複数の通気口を含む第１側面板及び第２側面板とを含む空気分散板部と、第１電源供給部及び第２電源供給部を含む電源供給部と、第１電源供給部と接続される第１電源接続部を含む加熱部と、本体部の長手方向に沿って本体部の一つの側面の内側に隣接するように載置され、第２電源供給部と電気的に接続可能な第２電源接続部を含む空気循環部と、本体部の長手方向と直交する方向の一つの側に装着され、第２電源接続部と接続されておりかつ第２電源供給部と接触可能な接続端子を有する本体結合部と、加熱部の上部に設置されて加熱される調理面を含む調理部と、を備え、空気分散板部は、電源供給部が本体結合部に装着された状態で第１電源供給部に含まれる端子と第１電源接続部に含まれる端子とが接触するように、第１電源接続部の上下方向の位置を決める、空気循環式電気ロースターを提供する。
【００２８】
本発明の少なくとも一つの実施例においては、本体部と、本体部に載置され、少なくとも一つの貫通孔を含む下板と、下板の両側にそれぞれ形成され複数の通気口を含む第１側面板及び第２側面板とを含む空気分散板部と、第１電源供給部及び第２電源供給部を含む電源供給部と、第１電源供給部と接続される第１電源接続部を含む加熱部と、本体部の長手方向に沿って本体部の一つの側面の内側に隣接するように載置され、第２電源供給部と電気的に接続可能な第２電源接続部を含む空気循環部と、本体部の長手方向と直交する方向の一つの側に装着され、第２電源接続部と接続されておりかつ第２電源供給部と接触可能な接続端子を有する本体結合部と、加熱部の上部に設置されて加熱される調理面を含む調理部と、を備え、調理部は調理面の少なくとも一部に少なくとも一つの貫通孔を有し、少なくとも一つの貫通孔を開閉可能な開閉部材をさらに備える、空気循環式電気ロースターを提供する。
【００２９】
本発明の少なくとも一つの実施例においては、本体部と、本体部に載置され、少なくとも一つの貫通孔を含む下板と、下板の両側にそれぞれ形成され複数の通気口を含む第１側面板及び第２側面板とを含む空気分散板部と、第１電源供給部及び第２電源供給部を含む電源供給部と、第１電源供給部と接続される第１電源接続部を含む加熱部と、本体部の長手方向に沿って本体部の一つの側面の内側に隣接するように載置され、第２電源供給部と電気的に接続可能な第２電源接続部を含む第１空気循環部と、本体部の長手方向に沿って本体部の他の側面の内側に隣接するように載置され、第２電源供給部と電気的に接続可能な第３電源接続部を含む第２空気循環部と、本体部の長手方向と直交する方向の一つの側に装着され、第２電源接続部と接続されておりかつ第２電源供給部と接触可能な第１接続端子及び第３電源接続部と接続されておりかつ第２電源供給部と接触可能な第２接続端子を有する本体結合部と、加熱部の上部に設置されて加熱される調理部と、を備え、第１空気循環部と第２空気循環部は、第２電源供給部により供給される電力により、同等な強さまたは互いに異なる強さで駆動される、空気循環式電気ロースターを提供する。
【００３０】
本発明の少なくとも一つの実施例において、空気循環式電気ロースターは加熱部の下部を囲む下部蓋部をさらに備える。
【００３１】
本発明の少なくとも一つの実施例において、空気循環式電気ロースターは、本体部の内部に載置され、調理部から排出される油を受けるための油受け部をさらに備える。
【発明の効果】
【００３２】
本発明の少なくとも一つの実施例によれば、電源供給部はヒーターを分離し、シンプルな構造で調理部と空気循環部に独立的に電源を供給可能な空気循環式電気ロースターを提供できるという効果を奏する。
【００３３】
さらに、本発明の少なくとも一つの実施例によれば、安全装置に必要な部品及び配線を減らし、製造時のみならず事後管理の面でも問題の発生を抑制することが可能な空気循環式電気ロースターを提供できるという効果を奏する。
【００３４】
さらに、本発明の少なくとも一つの実施例によれば、複数の貫通孔が形成された焼き用調理部と貫通孔のない一般の調理部の二種類の調理部を一つに統合し、食材料によって調理部を交換しなければならない不便さを解消可能な空気循環式電気ロースターを提供できるという効果を奏する。
【００３５】
さらに、本発明の少なくとも一つの実施例によれば、空気分散板部の排出部と吸入部との間の送風バランスを安定させ、調理時に排出部と吸入部の両側で同等にほとんど匂いを発生しない空気循環式電気ロースターを提供できるという効果を奏する。
【００３６】
本発明の効果は以上で言及されたものなどに限定されず、言及されていない他の効果は下記の記載から当該技術分野における通常の知識を有した者に明確に理解できるはずである。
【図面の簡単な説明】
【００３７】
【図１】本発明の少なくとも一つの実施例に係る空気循環式電気ロースターの分解斜視図である。
【図２】本発明の少なくとも一つの実施例に係る空気循環式電気ロースターの組み立てられた形態を示す斜視図である。
【図３】本発明の少なくとも一つの実施例に係る空気循環式電気ロースターの側断面図である。
【図４】本発明の少なくとも一つの実施例に係る空気循環式電気ロースターの調理部、加熱部、及び下部蓋部を示す分解斜視図である。
【図５】本発明の少なくとも一つの実施例に係る空気循環式電気ロースターの調理部、加熱部、及び下部蓋部の下部を示す分解斜視図である。
【図６】本発明の少なくとも一つの実施例に係る空気循環式電気ロースターの電源供給部と第１及び第２電源接続部を示す分解斜視図である。
【発明を実施するための形態】
【００３８】
以下、添付図面を参照し、本明細書に開示された実施例を詳しく説明する。各図面の構成要素に参照符号を割り当てることにおいて、同一の構成要素に対しては、たとえ異なる図面上に示されていても、可能な限り同一の符号を割り当てている。また、本発明の実施例を説明することにおいて、関連した公知の構成または機能に関する具体的な説明が本発明の要旨を薄め得ると判断される場合には、その詳細な説明を省略する。
【００３９】
さらに、本発明の構成要素を説明することにおいて、第１、第２、Ａ、Ｂ、（ａ）、（ｂ）などの用語を用いることができる。このような用語は、当該構成要素を他の構成要素と区別するためのものであり、その用語によって当該構成要素の本質や順番などが限定されることではない。明細書全体で、ある部分がある構成要素を「含む」または「備える」ということは、特に反対の記載がない限り、他の構成要素を除外することではなく、他の構成要素をさらに含むことができるとの意味である。また、明細書に記載した「部」、「モジュール」などの用語は、少なくとも一つの機能や動作を処理する単位を意味し、このような処理単位は、ハードウェアやソフトウェアまたはハードウェア及びソフトウェアの組み合わせにより実現することができる。
【００４０】
図１及び図２は本発明の少なくとも一つの実施例に係る空気循環式電気ロースターの分解斜視図及び組み立てられた状態を示す斜視図である。図３は本発明の少なくとも一つの実施例に係る空気循環式電気ロースターの側断面図である。
【００４１】
図１及び図３に示すように、本発明の少なくとも一つの実施例に係る空気循環式電気ロースターは、本体部１０、空気循環部４０、調理部６０、加熱部（ヒーター）７０、下部蓋部８０、空気分散板部５０、油受け部１５、電源供給部３０、及び本体結合部２０を備える。
【００４２】
図１及び図２に示すように、本体部１０はテーブルや床などの面に載置され、各種部品を内部に含んで、本発明の少なくとも一つの実施例に係る空気循環式電気ロースターの外観を形成する。
【００４３】
本体部１０の下部の一つの側に空気循環部４０が設置され、下から油受け部１５、空気分散板部５０、下部蓋部８０、加熱部７０、及び調理部６０が順次載置される。本発明の少なくとも一つの実施例で、本体部１０の内部に装着された空気循環部４０にはファン４３が内蔵され、ファン４３の駆動を介して内部の空気を循環させることで、調理時に発生する油の分子などが本体部１０の外部に漏れないようにする。
【００４４】
本体部１０は一体型で形成することもできるし、容易に洗浄できるように着脱可能な上部１０ａ及び下部１０ｂで構成することもできる。
【００４５】
図１に示すように、空気循環部４０は長形に形成され、本体部１０の下部の一つの側に設置され、ケーシング４１、ファン４３、及び第２電源接続部４５を含む。第２電源接続部４５は、第２電源供給部３３と電気的に接続可能な端子を有する。空気循環部４０は、例えば、本体部１０の長手方向に沿って、本体部１０の一つの側面の内側に隣接するように載置されている。
【００４６】
ファン４３は長形の空気循環部４０のケーシング４１の内部に着脱可能に含まれる。本体部１０の底面に位置する底面部１７を開閉することによって、ファン４３を挿入及び分離することができる。他には、本体部１０の内側を通してファン４３を挿入または分離することができる。ファン４３にはモーター（不図示）が接続され、電源供給部３０から供給される電源でモーターを駆動することでファン４３が回転する。
【００４７】
ファン４３の回転で空気循環式電気ロースターの内部の空気が外部に流出されることを抑制し、内部で循環させる。空気循環部４０を本体部１０の下部に載置し、第２電源接続部４５を本体結合部２０の内部変換器（不図示）の出力部と接続すると、第２電源接続部４５を介して直流電源が供給され、ファン４３が作動する。本体結合部２０は、本体部１０の長手方向と直交する方向に延在する一つの側に装着され、第２電源接続部４５と接続されておりかつ第２電源供給部３３と接触可能な第１接続端子である接続ピン２１を有する。
【００４８】
図４及び図５は本発明の少なくとも一つの実施例に係る調理部６０、加熱部７０、及び下部蓋部８０及びこれらの下部を示す。
【００４９】
図３ないし図５に示すように、調理部６０は肉類、魚介類、野菜類などの各種食材料を調理するための領域を提供する。また、調理部６０の調理面には中心部に貫通孔６３が形成されている。このとき、調理部６０の底面（調理面）は外周部から中心部の貫通孔６３まで傾斜した形状で形成され、調理時に発生する油が底面に沿って貫通孔６３に流れやすく形成される。図３ないし図５には一つの貫通孔６３が図示されているが、形成する貫通孔６３の個数または形状は特定の数または形状に限定されず、必要によって設定することができる。
【００５０】
また、貫通孔６３に挿入される開閉部材６５を用いて、貫通孔６３を開閉することができる。油を除去すべきである肉類などの焼き物には開閉部材６５を除去して油を排出できるように貫通孔６３を開放し、油を排出する必要のない食材料を調理する場合には開閉部材６５で貫通孔６３を防いで調理することができる。このように開閉部材６５を用いて、調理部６０を用途に応じて変更しなければならない不便さを解消することができる。
【００５１】
本発明の少なくとも一つの実施例において、貫通孔６３の内側面がナット部で形成され、開閉部材６５の貫通孔６３に挿入される部分の外側面がボルト部で形成され、ボルト部の反対側の端部に形成されたつまみを回してドライバーなどの道具を使わなくても開閉部材６５で貫通孔６３を閉鎖することができる。この場合、開閉部材６５で貫通孔６３を閉鎖してからつまみ部分を分離できるようにして、つまみ部分の突出によって調理に差支えがないようにすることができる。
【００５２】
場合によっては、開閉部材６５で貫通孔６３を閉鎖した状態で調理を始め、途中で開閉部材６５を除去して貫通孔６３を開放する場合がある。このような場合のためにつまみの上部に十字または一字のドライバー用の溝または多角形のレンチ用の溝を形成し、ドライバーやレンチなどの道具を用いて開閉部材６５を後退させて除去するか、または最後まで前進させて下に位置する空気分散板部５０の上に落下させることができる。
【００５３】
本発明の少なくとも一つの実施例において、貫通孔６３の内側面をナット部で形成し、開閉部材６５の貫通孔６３に挿入される部分外側面をボルト部で形成して開閉部材６５を回すためのつまみを形成する代わりに、ボルト部の反対側の端面に十字または一字のドライバー用の溝または多角形のレンチ用の溝を形成することができる。この場合、開閉部材６５で貫通孔６３を閉鎖するためにはドライバーやレンチなどの道具が必要であるが、つまみのような突出部がないので、調理に影響を与えないようにすることができる。この場合も、開閉部材６５で貫通孔６３を閉鎖した状態で調理を始め、途中で開閉部材６５を除去して貫通孔６３を開放する必要がある時にはドライバーやレンチなどの道具を用いて開閉部材６５を後退させて除去するか、最後まで前進させて下に位置する空気分散板部５０の上に落下させることができる。
【００５４】
図4には調理部６０の上方から開閉部材６５で貫通孔６３を閉鎖するように図示されているが、本発明の少なくとも一つの実施例においては、調理部６０の下方から貫通孔６３を閉鎖するように構成しても良い。この場合、開閉部材６５を下方から最後まで前進させたとき、開閉部材６５が調理部６０の調理面以上に突出しないように開閉部材６５の長さを設定することができる。この場合には、調理部６０の調理面に露出される開閉部材６５の端面に十字または一字のドライバー用の溝または多角形のレンチ用の溝を形成して、開閉部材６５で貫通孔６３を閉鎖した状態で料理を始め、途中で開閉部材６５を除去して貫通孔６３を開放するときには、ドライバーやレンチなどの道具を用いて開閉部材６５を下方に前進させ、下に位置する空気分散板部５０の上に落下させることができる。
【００５５】
本発明の少なくとも一つの実施例において、貫通孔６３の内側面が上から下に向けて直径が減少するテーパー状に形成し、開閉部材６５の貫通孔６３に挿入される部分の外側面を貫通孔６３の内側面に嵌るように、貫通孔６３の内側面形状と同一のテーパー状に形成することで、開閉部材６５を貫通孔６３に合わせて落とすことでコルク栓のように簡単に貫通孔６３を閉鎖することができる。この場合にも、開閉部材６５で貫通孔６３を閉鎖した時に調理部６０の調理面から開閉部材６５が突出しない長さで開閉部材６５を形成することができる。
【００５６】
本発明の少なくとも一つの実施例において、開閉部材６５を紛失しないように本体部１０の一部に開閉部材６５を保管するための溝（不図示）を形成し、開閉部材６５を使用しない時にはこの保管用溝に入れて保管することができる。
【００５７】
図３ないし図５に示すように、加熱部７０は線形の発熱体を平面上に配置して形成する。線形の発熱体を平面上にできるだけ広く配置すると、調理部６０に均一に熱を伝達することができる。加熱部７０の形状はジグザグの形状を有しても良い。
【００５８】
また、加熱部７０の一つの側には電源の供給を受けることができる第１電源接続部７１を含む。このとき、第１電源接続部７１を囲む形状に形成されたガイド部６７をさらに含むことができる。
【００５９】
ガイド部６７は電源供給部３０を調理部６０と接続する過程において、内部に形成された段差に係止されるようにして電源供給部３０を固定できるようにする。また、第１電源接続部７１を介して流れる電流に対する感電事故を予防することもできる。
【００６０】
このとき、調理部６０の下部に加熱部７０が付着形成しても良いし、着脱可能に別途形成しても良い。調理部６０と加熱部７０が付着形成される場合は、部品数が簡素化され、収納が便利となる。調理部６０と加熱部７０が着脱可能に形成される場合は、洗浄が容易になる。
【００６１】
図４及び図５に示すように、下部蓋部８０が調理部６０の下部に位置して加熱部７０の下部を囲む。下部蓋部８０は加熱部７０の下部を囲む板状の形で加熱部７０の熱を遮断することができ、これによって、空気循環式電気ロースターの内部の熱効率を増大させる効果がある。
【００６２】
下部蓋部８０の中心部には、図４に示すように、調理部６０に形成された貫通孔６３と垂直に貫通するように形成された下部蓋部ホール８１が形成されて、調理部６０から流れる油を排出することができる。
【００６３】
一方、調理部６０の下側底面に複数の接続部材６９が形成され、下部蓋部８０には複数の結合孔８４及び複数の換気孔８３が形成される。このとき、複数の接続部材６９の長さは調理部６０と下部蓋部８０の間に加熱部７０を載置できる程度の幅を確保する程度が適切である。
【００６４】
図５に示すように、調理部６０の下側底面に４個の接続部材６９を９０度間隔に配置することができる。下部蓋部８０には４個の接続部材６９の位置に対応する４個の結合孔８４が形成され、接続部材６９を結合孔８４に貫通させて固定部材８５で固定させることができる。
【００６５】
このとき、結合孔８４を貫通した接続部材６９と固定部材８５をボルトで固定部材８５の内部で固定させることができる。また、下部蓋部８０には結合孔８４の他に換気孔８３が形成されて、換気孔８３を通して換気をすることができる。
【００６６】
図１ないし図３に示すように、空気分散板部５０は本体部１０の上に載置され、上に下部蓋部８０、加熱部７０、及び調理部６０が順次載置される。
【００６７】
図１及び図３に示すように、空気分散板部５０は、第１側面板５１、第２側面板５２、及び下板５７を含む。下板５７は下部底面を形成し、両側に第１側面板５１及び第２側面板５２が形成される。
【００６８】
図１ないし図３に示すように、第１側面板５１及び第２側面板５２は板状に形成されており、複数の通気孔５４が形成されて空気が流出入できるように形成されている。
【００６９】
第１側面板５１及び第２側面板５２は空気分散板部５０の下板５７と着脱できるように分離して形成しても良いし、下板５７と一体型に形成しても良い。このとき、第１側面板５１及び第２側面板５２の上端にはフランジ部５１ａ、５２ａが形成され、フランジ部５１ａ、５２ａが本体部１０の上部に位置した段差部１７ａ、１７ｂの形状に合わせて載置される。
【００７０】
本発明の少なくとも一つの実施例に係る第１側面板５１及び第２側面板５２は、下板５７の長手方向の両側に形成されて角部から長さ反対方向に湾曲するように形成しても良い。
【００７１】
第１側面板５１及び第２側面板５２の両端部が板状に形成され、本体部１０の角部１３と当接するように載置されても良い。第１側面板５１及び第２側面板５２が板状の場合、両端部が湾曲する形状を有する場合に比べて工程が簡単であり、加工費用が安いためコストの面で有利な効果を期待できる。
【００７２】
また、下板５７には排出孔５３及び載置ホール５５が形成される。このとき、下板５７は端から中心部に形成された排出孔５３まで傾斜した形態で形成しても良い。
【００７３】
排出孔５３は空気分散板部５０の下板５７の中心部に形成することができる。排出孔５３を通して空気が流出入される以外に、調理部６０の貫通孔６３に排出された油が排出孔５３を通して排出される。このとき、排出孔５３は複数個でも良いし、円形や四角形またはそれ以外の形状で形成しても良い。図1には排出孔５３が空気分散板部５０の下板５７の中心部に形成されていると図示しているが、排出孔５３の位置は下に位置する油受け部１５の位置によって適切に設定することができる。
【００７４】
一方、載置ホール５５は下板５７の端に位置し、前記調理部６０の下側に位置した接続部材６９が載置されて、安定した固定効果を発揮できる。載置ホール５５は下板５７に形成されなくても良い。
【００７５】
このように、本発明の少なくとも一つの実施例に係る空気循環式電気ロースターは、調理部６０の前面にわたって形成した複数の貫通孔を介して油が落下する従来の空気循環式電気ロースターとは異なり、中央に形成した貫通孔６３を介して油が集中して下に落ちるので、空気循環式電気ロースターの内部の上下方向の空気の流路が小さくなり、空気分散板部５０の排出部と吸入部の間の送風バランスへの影響を減らすことができる。
【００７６】
図１、図２、及び図６に示すように、本発明の少なくとも一つの実施例において、空気分散板部５０の第１側面板５１及び第２側面板５２の上端部に形成したフランジ部５１ａ、５１ｂは、本体部１０の上部に位置する段差部１７ａ、１７ｂに装着されると、本体結合部２０を本体部１０に結合した際に第１電源接続部７１が本体結合部２０の上部開口部を通して電源供給部３０と接続できるように下部蓋部８０、加熱部７０、及び調理部６０を支持して、第１電源接続部７１の上下方向の位置を決定する位置決め部の役割をする。
【００７７】
従って、空気分散板部５０が装着されてない状態または正常に装着されてない状態では下部蓋部８０、加熱部７０、及び調理部６０を装着しても高さが合わないため、本体結合部２０の上部開口部を介して電源供給部３０と第１電源接続部７１とを接続することができなくなり、別途の安全装置がなくても危険な状態での電源投入を防ぐことができる。
【００７８】
図１及び図３に示すように、油受け部１５は本体部１０の内部に載置されて調理部６０から排出された油を受けて収納する。本発明の少なくとも一つの実施例において、油受け部１５は本体部１０と着脱されて廃油の回収及び洗浄を容易にすることができる。
【００７９】
本発明の少なくとも一つの実施例において、油受け部１５が本体部１０と一体形成され、油受け部１５に別途の廃油排出口を形成することもできる。また、油受け部１５は本体部１０の下端を通して外部に廃油を排出するように引き出し式に形成され得る。
【００８０】
図６に示すように、本体結合部２０は本体部１０の一つの側に挿入して装着され、交流電力（以下、「交流」という場合がある）を直流電力（以下、「直流」という場合がある）に変換する変換器（不図示）を内部に含む。本体結合部２０は電源供給部３０と接続され、本体部１０の一つの側に挿入装着される。なお、本明細書における交流電力は、電圧及び電流のいずれかが交流である電力であり、直流電力は、電圧及び電流が一定である電力である。
【００８１】
また、電源供給部３０は温度感知ピン３１、第１電源供給部３２、第２電源供給部３３、温度調節部３５、及び電源プラグ３７を含むことができる。
【００８２】
電源供給部３０の温度感知ピン３１は電源供給部３０と調理部６０の下面に付着された接続溝６４に挿入される。このとき、温度感知ピン３１は調理部６０と電源供給部３０を互いに接続して調理部６０の温度を感知する役割をする。
【００８３】
調理部６０の温度が一定温度以上に高くなると電源供給部３０内部のバイメタル（ｂｉｍｅｔａｌ）の作動で電源が遮断され、一定温度以下に低くなると電源が接続される。このとき、電源供給部３０は、温度変化によるバイメタルの作動に応じてアナログ方式で温度を感知するか、温度感知ピン３１に電流あるいは電圧変化を感知するデジタル方式で温度を感知して作動される。
【００８４】
また、電源供給部３０は温度調節部３５を含むことができ、調理部６０の温度を直接調節することができる。電源供給部３０は本体結合部２０に着脱可能に構成されており、電源供給部３０が本体結合部２０に装着された状態で、第１電源供給部３２に含まれる端子と第１電源接続部７１に含まれる端子とが接触することにより、電源供給部３０と加熱部７０が電気的に接続される。また、第２電源供給部３３に含まれる端子と第１接続端子である接続ピン２１とが接触することにより、電源供給部３０と空気循環部４０とが電気的に接続される。
【００８５】
本発明の少なくとも一つの実施例に係る空気循環式電気ロースターは、電源供給部３０の第１電源供給部３２と加熱部７０の一つの側に接続された第１電源接続部７１が接続される。
【００８６】
また、電源供給部３０の第２電源供給部３３は本体結合部２０の接続ピン２１と接続され、結合板４７及び第２電源接続部４５と接続される。このとき、本体結合部２０の内部には第２電源供給部３３を通して供給された交流電源を直流に変換する変換器（不図示）を含むことができる。
【００８７】
従って、変換器で変換された直流電源が第２電源接続部４５を介してファン４３のモーターを駆動させる。このとき、電源供給部３０には第２電源供給部３３と第２電源接続部４５を接続させる電源をオン／オフ（ｏｎ／ｏｆｆ）させることができる別途のスイッチが含まれても良い。
【００８８】
従って、一つの電源供給部３０に電源を供給して、第１電源供給部３２を通しては調理部６０に電源を供給し、第２電源供給部３３を通しては本体結合部２０を経てファン４３を駆動できるようになる。
【００８９】
このように、電源供給部３０と加熱部７０が空間的に分離され、第１電源供給部３２に含まれた端子と第１電源接続部７１に含まれた端子の接触を介して電源供給部３０と加熱部７０が電気的に接続される。従って、従来の空気循環式電気ロースターで複雑な回路構成を用いてヒーターと一体化した電源供給装置を用いてファンに電源を供給していたのと比べると、はるかに簡素化された構成で電源を供給することができる。
【００９０】
本発明の少なくとも一つの実施例に係る空気循環式電気ロースターは、本体結合部２０の下端部を本体部１０の載置部１１に挿入した状態で固定し、本体結合部２０の一つの側に電源供給部３０を挿入した状態で固定させて組み立てる。
【００９１】
このとき、本体結合部２０は本体部１０と別途形成され得るが、一体形成しても良い。別途形成時には清掃や洗浄が容易となり、一体形成時には部品が簡素化する効果を期待することができる。
【００９２】
前述の実施例では本体結合部２０が交流を直流に変換する変換器（不図示）を内部に含むと説明しているが、本発明の少なくとも一つの実施例においては、交流を直流に変換する変換器（不図示）を電源供給部３０内に含む。この場合、本体結合部２０から電源系統が完全に分離されるので、電源供給部３０と空気循環部４０を分離すれば、空気循環式電気ロースター全体をそのまま分解せずに洗浄することができる。
【００９３】
図１及び図２には電源供給部３０が本体結合部２０を介して直接空気循環式電気ロースターに接続される例を図示しているが、本発明の少なくとも一つの実施例においては、電源プラグ３７の反対側にも所定の長さの電線を接続し、電源供給部３０を空気循環式電気ロースターから電線の長さに値する距離だけ離すことができる。このようにすることで、高熱を発生する空気循環式電気ロースターから電源供給部３０を空間的に完全に分離し、一層安全に空気循環式電気ロースターを使用することができる。
【００９４】
本発明の少なくとも一つの実施例に係る空気循環式電気ロースターは、図１に示すように、調理部６０で肉類などを調理する場合、空気分散板部５０の第１側面板５１に形成された通気孔５４を通して外部の空気及び煙が空気循環部４０側の内部空間に流入して、本体部１０下部の内部空間に流入する。
【００９５】
このように流入した外部空気の一部は、空気分散板部５０の中心部の排出孔５３を通過して調理部６０の貫通孔６３に沿って上って行き、残りの一部は空気分散板部５０の第２側面板５２の通気孔５４を通して排出されて一定の速度で本体部１０の上部に上って行く。
【００９６】
空気分散板部５０の第２側面板５２の通気孔５４に排出された空気は再びファン４３の作動によって第１側面板５１の通気孔５４に強制流入する。このように同じ空気の流れを繰り返す。
【００９７】
従って、前述した空気の流れで本体部１０の上部に自然のエアカーテンが形成されるため、肉類が焼かれながら発生する油煙及び臭いが外部に排出されることが抑制される。
【００９８】
図１、図２、及び図６には本体部１０の下部の一つの側に空気循環部４０を設けている場合を図示しているが、本発明の少なくとも一つの実施例においては、空気循環部４０が本体部１０の下部の一つの側及び反対側の他の側の二箇所に設けられ、一つは吸入機能を主に担当し、もう一つは排出機能を主に担当する。この場合、本体部１０の下部の他の側に設けられる空気循環部４０は第２電源供給部３３と接続される第３電源接続部（不図示）を含み、排出側の空気循環部４０と吸入側の空気循環部４０を同等な強さで駆動するか、または排出側の空気循環部４０より吸入側の空気循環部４０をより強く駆動することで、調理時に排出部と吸入部の両側で同等な程度にほとんど匂いを発生させない空気循環式電気ロースターを提供することができる。この場合、本体結合部２０は、第３電源接続部と接続されておりかつ第２電源供給部３３と接触可能な第２接続端子をさらに有する。そして、電源供給部３０が本体結合部２０に装着された状態で、第２電源供給部３３に含まれる端子と第２接続端子とが接触することにより、電源供給部３０と他の側に設けられる空気循環部４０とが電気的に接続される。この他の側の空気循環部４０も第２電源供給部３３により供給される電力により、一つ目の空気循環部４０と同等な強さまたは互いに異なる強さで駆動される。  
【００９９】
本明細書で説明される実施例と添付された図面は、本発明に含まれる技術的思想の一部を例示的に説明するものに過ぎない。従って、本明細書に開示された実施例は本発明の技術的思想を限定するためのものではなく説明するためのものであるため、このような実施例によって本発明の技術思想の範囲が限定されないことは自明である。本発明の明細書及び図面に含まれた技術的思想の範囲内で当該技術分野における通常の知識を有した者が容易に類推できる変形例と具体的な実施例は、すべて本発明の権利範囲に含まれるものと解釈されるべきである。
【符号の説明】
【０１００】
１０：本体部
２０：本体結合部
３０：電源供給部
４０：空気循環部
４３：ファン
５０：空気分散板部
６０：調理部
６５：蓋部材
７０：加熱部
８０：下部蓋部
【図１】
2018015568.tif 000003
【図２】
2018015568.tif 000004
【図３】
2018015568.tif 000005
【図４】
2018015568.tif 000006
【図５】
2018015568.tif 000007
【図６】
2018015568.tif 000008